(57)【要約】【課題】イルミネーション灯として機能するときは照明灯用の光源をイルミネーション用の光源と連動させて一つのスイッチで点灯制御させることができ、且つ低照度で点灯させることができる車両用室内灯を提供する。【解決手段】本車両用室内灯１は、車室内を照射する照明用光源６と、車室内を装飾的に照射するイルミネーション用光源７と、照明用光源を制御するための照明用スイッチ８と、イルミネーション用光源を制御するためのイルミネーション用スイッチ９と、照明用光源の照度を低減させる減光手段１３と、を備え、イルミネーション用スイッチをオンとしたときに、イルミネーション用光源が通電してイルミネーション用光源が点灯し、且つ減光手段を通じて照明用光源が通電することにより照明用光源が低照度で点灯することを特徴とする。【選択図】図１
2011110977.tif 000002
【特許請求の範囲】
【請求項１】
車室内を照射する照明用光源と、
車室内を装飾的に照射するイルミネーション用光源と、
前記照明用光源の点灯を制御するための照明用スイッチと、
前記イルミネーション用光源及び前記照明用光源の点灯を制御するためのイルミネーション用スイッチと、該照明用光源の照度を低減させる減光手段と、を備えた車両用室内灯であって、
前記イルミネーション用スイッチをオンとしたときに、前記イルミネーション用光源が通電して該イルミネーション用光源が点灯し、且つ前記減光手段を通じて前記照明用光源が通電することにより該照明用光源が低照度で点灯することを特徴とする車両用室内灯。
【請求項２】
前記減光手段は、前記照明用光源及び前記照明用スイッチの間の配線と、前記イルミネーション用光源及び前記イルミネーション用スイッチの間の配線と、の間を接続して設けられる請求項１記載の車両用室内灯。
【請求項３】
前記減光手段は抵抗素子、及び前記照明用スイッチによる前記イルミネーション用光源の点灯を防止する逆流防止素子を具備する請求項２記載の車両用室内灯。
【請求項４】
前記照明用光源はバルブであり、前記イルミネーション用光源はＬＥＤである請求項２又は３記載の車両用室内灯。
【発明の詳細な説明】
【技術分野】
【０００１】
本発明は、自動車等の車室内の天井等に設けられる車両用室内灯に関する。更に詳しくは、室内を明るくする照明灯と、室内を光で装飾するイルミネーション灯との機能を備え、イルミネーション灯として機能するときは照明灯用の光源をイルミネーション用の光源と連動させて一つのスイッチで点灯制御させることができ、且つ低照度で点灯させることができる車両用室内灯に関する。
【背景技術】
【０００２】
従来より、車室内を高照度で照射する機能と低照度で照射する機能とを備えた車両用室内灯が知られている。この種の車両用室内灯としては、例えば、複数の照明用ＬＥＤと、１個の常夜灯用ＬＥＤと、を備えたものが知られている（特許文献１を参照。）。この車両用室内灯では、複数のルームランプ用ＬＥＤを同時に照射することにより高照度の照射光を得られると共に、１個の常夜灯用ＬＥＤのみを照射することにより低照度のぼんやりとした照射光を得ることができる。
また、他の車両用室内灯としては、例えば、バルブを１つのみ有し、照明スイッチをオンした際に高照度で照射すると共に、ドア連動スイッチをオンにしてドアが開放されたときには抵抗素子を介してバルブに通電されて低照度で照射するようになるものが知られている（特許文献２を参照。）。この車両用室内灯では、１個のバルブに通電する電流を切り換えることにより、照度を変化させている。
また、近年では、高照度のルームランプ機能に加えて、ＬＥＤ等をイルミネーション用光源として使用することにより低照度で装飾的な照射を行うイルミネーション機能を備えた車両用室内灯が開発されている。このイルミネーション機能は、例えば、ルームランプとは異なった色を発することにより意匠性を高めたものとする。
【先行技術文献】
【特許文献】
【０００３】
【特許文献１】特開２００４−３２２８６０号公報
【特許文献２】特開２００４−１８２０１２号公報
【発明の概要】
【発明が解決しようとする課題】
【０００４】
しかし、上述したイルミネーション機能を備えた車両用室内灯では、照明灯とイルミネーション灯とが個別に制御されており、全体として一体的なイルミネーション機能を有していない。
また、イルミネーション機能を備えた車両用室内灯に、上述した複数のルームランプ用ＬＥＤ及び１個の常夜灯用ＬＥＤを備えた車両用室内灯を単に結合することが考えられる。しかし、この場合であっても、高照度用回路、低照度用回路、及びイルミネーション照射用回路が別々に設けられているので、互い連動することはなくスイッチ操作を別個に行う必要があるため、煩雑で操作性が悪い。
更に、イルミネーション機能を備えた車両用室内灯に、上述したバルブを１つのみ有して照明スイッチとドア連動スイッチで高照度と低照度とを切り換える車両用室内灯を単に結合することも考えられる。しかし、この場合も照明機能とイルミネーション機能とが別個の回路であるため、イルミネーションのために複数のスイッチを操作する必要があり操作性が悪い。しかも、ドア連動スイッチをオンにしてドアを開放したときのみ低照度照射がなされるので、例えば夜間の走行中等、任意のときに低照度照射をすることができず、使用性が悪い。
本発明は、上記現状に鑑みてなされたものであり、室内を明るくする照明灯と、室内を光で装飾するイルミネーション灯との機能を備え、イルミネーション灯として機能するときは照明灯用の光源をイルミネーション用の光源と連動させて一つのスイッチで点灯制御させることができ、照明の高照度照射及び低照度照射、イルミネーションの照射を任意かつ操作性良く切り換えることができる車両用室内灯を提供することを目的とする。
【課題を解決するための手段】
【０００５】
本発明は、以下の通りである。
１．車室内を照射する照明用光源と、車室内を装飾的に照射するイルミネーション用光源と、前記照明用光源の点灯を制御するための照明用スイッチと、前記イルミネーション用光源及び前記照明用光源の点灯を制御するためのイルミネーション用スイッチと、該照明用光源の照度を低減させる減光手段と、を備えた車両用室内灯であって、前記イルミネーション用スイッチをオンとしたときに、前記イルミネーション用光源が通電して該イルミネーション用光源が点灯し、且つ前記減光手段を通じて前記照明用光源が通電することにより該照明用光源が低照度で点灯することを特徴とする車両用室内灯。
２．前記減光手段は、前記照明用光源及び前記照明用スイッチの間の配線と、前記イルミネーション用光源及び前記イルミネーション用スイッチの間の配線と、の間を接続して設けられる上記１．記載の車両用室内灯。
３．前記減光手段は抵抗素子、及び前記照明用スイッチによる前記イルミネーション用光源の点灯を防止する逆流防止素子を具備する上記２．記載の車両用室内灯。
４．前記照明用光源はバルブであり、前記イルミネーション用光源はＬＥＤである上記２．又は上記３．記載の車両用室内灯。
【発明の効果】
【０００６】
本発明の車両用室内灯によれば、イルミネーション用スイッチの操作により、照明用光源及びイルミネーション用光源が連動して点灯させることができる。また、照明用光源はイルミネーション用として用いるときは低照度で発光する。
このため、従来のように照明用光源及びイルミネーション用光源のスイッチを個別に操作する場合に比べて、一つのイルミネーション用スイッチを操作するだけで行うことができ、操作性を高めることができる。また、乗員は任意のときにイルミネーション用スイッチを操作することにより照明用光源を低照度照射することができるので、従来のようにドアの開放時のみ低照度照射が可能になる場合に比べて、例えば夜間の走行中等、走行の支障が出ない程度の明るさで車室内を光で装飾したいときに有効に活用することができる。
更に、照明用光源を低照度で照射すると同時にイルミネーション用光源も点灯させることができるので、イルミネーション用光源を単独で照射する場合と比べて、色や照射範囲が異なる光源を組み合わせることができるため、更に意匠性を高めることができる。しかも、照明用光源の低照度照射は減光手段により電気的に行っているので、照明用光源の発熱を抑えることができ、照明用光源の寿命を大きく縮めることはなく、また照明用光源のイルミネーションときの発熱によるケーシング等の耐熱性を特に大きくする必要もない。
また、照明用光源とイルミネーション用光源とが１つの車両用室内灯の内部に収容されているので、それぞれの回路の一部を共有することができ、イルミネーション用光源を別個の箇所に設ける場合に比べて部品点数や配線工数を削減することができる。
【０００７】
また、照明用光源及び照明用スイッチの間と、イルミネーション用光源及びイルミネーション用スイッチの間と、の間に減光手段を接続した場合は、簡素な回路でイルミネーション用スイッチによる各光源の連動を実現することができる。
更に、減光手段が抵抗素子及び逆流防止素子を具備する場合は、照明用光源を任意の照度とすることができ、且つ照明用スイッチの操作によるイルミネーション用光源の点灯が起きることがない。
また、照明用光源がバルブである場合、照明としての十分な照度を確保することができる。更に、イルミネーション用光源がＬＥＤである場合、消費電力を抑えられると共に、イルミネーションとして各種の色を選択することができる。
【図面の簡単な説明】
【０００８】
【図１】本実施例の車両用室内灯を示す回路図である。
【図２】本実施例の車両用室内灯を示す平面図である。
【図３】車両用室内灯を車両の天井に設けた状態を示す平面図である。
【図４】他の実施例の車両用室内灯を示す回路図である。
【発明を実施するための形態】
【０００９】
以下、本発明の車両用室内灯を詳しく説明する。
ここで示される事項は例示的なもの及び本発明の実施形態を例示的に説明するためのものであり、本発明の原理と概念的な特徴とを最も有効に且つ難なく理解できる説明であると思われるものを提供する目的で述べたものである。この点で、本発明の根本的な理解のために必要である程度以上に本発明の構造的な詳細を示すことを意図してはおらず、図面と合わせた説明によって本発明の幾つかの形態が実際にどのように具現化されるかを当業者に明らかにするものである。
【００１０】
本発明に係る車両用室内灯は、自動車等の車室内を照射する照明用光源と、車室内を装飾的に照射するイルミネーション用光源と、照明用光源を制御するための照明用スイッチと、イルミネーション用光源を制御するためのイルミネーション用スイッチと、を備えたものである。
前記「照明用光源」は、車室内の物品を見えるようにするために車室内を明るくすることができる高照度で照射可能な光源である限り、その種類、形状、大きさ、材質、構造及び数量等は特に問わない。このような照明用光源としては、例えば、バルブ、蛍光灯及びＬＥＤ等を挙げることができる。また、照明用光源はルームランプとして車室の全体を照らしてもよいし、マップランプのように車室の限られた場所を照らしてもよい。
前記「イルミネーション用光源」は、車室内を装飾するように発光することができる光源である限り、その種類、形状、大きさ、材質、構造、数量等は特に問わない。このようなイルミネーション用光源としては、例えば、青色、橙色、白色及び緑色等の各色のＬＥＤ、ネオン管、蛍光灯、バルブ等を挙げることができる。
【００１１】
前記「照明用スイッチ」は、照明用光源の点灯及び消灯を制御することができればよく、その形状、大きさ、材質、構造、数量等は特に問わない。照明用スイッチとしては、単に照明用光源のオン・オフを切り換える２接点のスイッチとしたり、オン・オフ切換に加え、ドアの開放時に点灯させるドア連動状態に切換可能なドア連動スイッチとしたりすることを挙げることができる。
「イルミネーション用スイッチ」は、照明用光源及びイルミネーション用光源の点灯及び消灯を制御する限り、その形状、大きさ、材質、構造、数量等は特に問わない。イルミネーション用スイッチとしては、単に照明用光源及びイルミネーション用光源を連動して点灯・消灯を切り換える２接点のスイッチとしたり（例えば図１のスイッチ８を参照）、イルミネーション用光源のオン・オフ切換に加えて、照明用光源及びイルミネーション用光源を連動して点灯・消灯を切り換える連動点灯状態に切換可能な連動スイッチ（例えば図４のスイッチ９’を参照）としたりすることができる。
【００１２】
このような照明用スイッチ及びイルミネーション用スイッチの組合せにより、様々な照明用光源及びイルミネーション用光源の点灯を制御することができる。例えば、照明用スイッチがオフのときは、イルミネーション用スイッチにより照明用光源の低照度点灯及びイルミネーション用光源の点灯を連動して行うことができる。また、照明用スイッチがオンのときは、照明用光源を通常の照度で点灯させ、イルミネーション用スイッチによりイルミネーション用光源の点等を制御することができる。
【００１３】
また、照明用光源とイルミネーション用スイッチとの間に減光手段が配線されている。前記「減光手段」は、イルミネーション用スイッチからの通電により点灯する照明用の光源の照度、即ち明るさが、照明用スイッチからの通電により点灯する照明用の光源の照度よりも暗くすることができれば良く、その手段を任意に選択することができる。この例として、電流制限用の抵抗素子、半導体等を用いた電流又は電圧制限回路、パルス幅変調等を用いた通電制御回路を挙げることができる。また、減光手段による減光の程度は任意に選択することができるが、通常イルミネーションとして利用する明るさであって、車両の走行時に運転の障害が出ない程度（例えば、車両内の物品がはっきりと見えない程度）とすることができる。また、減光手段は、逆流防止素子を具備することができる。
前記「逆流防止素子」は、イルミネーション用スイッチから照明用光源への通電を有効にし、照明用スイッチからイルミネーション用光源への通電を無効にする手段であり、ダイオード等の素子を例示することができる。
【００１４】
ここで、本車両用室内灯の回路としては、例えば、電源の一端側と照明用光源と照明用スイッチと電源の他端側をこの順で接続し、電源の一端側とイルミネーション用光源とイルミネーション用スイッチと電源の他端側をこの順で配線し、減光手段を照明用光源及び照明用スイッチの間の配線と、イルミネーション用光源及びイルミネーション用スイッチの間の配線と、の間を接続するものを例示することができる。照明用スイッチ及びイルミネーション用スイッチの一方又は両方をＥＣＵ等の回路に接続し、点滅制御を行うことができる。例えば、イルミネーション用スイッチの先にＥＣＵを接続し、照明用光源及びイルミネーション用光源の明暗を順次変化させたり、照明用スイッチの先にＥＣＵを接続し、走行時に照明用スイッチがオンになっても照明用光源が明るく点灯しないようにすることができる。
【実施例】
【００１５】
以下、図面を用いて実施例により本発明を具体的に説明する。
１．車両用室内灯の構成
本実施例に係る車両用室内灯１は、図３に示すように、自動車の天井２の中央部に設けられるルームランプである。また、同図中、天井２の前方側Ｆに設けられている符号３はフロントシート用のマップランプ３である。
そして、この車両用室内灯１は図２に示すように、ドーム状で半透明のケーシング４と、ケーシング４の一部分に設けられている不透明の操作パネル５と、ケーシング４に収容されている照明用光源６及びイルミネーション用光源７と、操作パネル５に設けられている照明用スイッチ８及びイルミネーション用スイッチ９と、を備えている。照明用光源６は車室内を明るく照射する照明用のバルブであり、ケーシング４のほぼ中心部分の半透明の部分に１つ設けられている。また、照明用光源６を点灯させるとケーシング４全体を赤みが含んだ白色に光らせることができる。イルミネーション用光源７は青色ＬＥＤであり、操作パネル５の裏側に互いに離隔して２個設けられている。また、イルミネーション用光源７を点灯させると図示しない導光手段によりケーシング４の周縁を青色に光らせることができる。
【００１６】
照明用スイッチ８は照明用光源６を制御するものであり、オン／オフ／ドア連動の３種類を切換可能なドア連動スイッチである。また、オンときには接地され、オフ時には開放され、ドア連動時には車両搭載のＥＣＵ１０に接続されるようにしている。イルミネーション用スイッチ９はイルミネーション用光源７を制御するものであり、オン／オフの２種類を切換可能としている。また、オン時には接地され、オフ時には開放されるようにしている。
そして、図１に示すように、電源１１と照明用光源６と照明用スイッチ８とが直列接続されている。また、電源１１と保護用ダイオード１２とイルミネーション用光源７とイルミネーション用スイッチ９とが直列接続されている。更に、照明用光源６及び照明用スイッチ８の間と、イルミネーション用光源７及びイルミネーション用スイッチ９の間とに減光手段１３が連結されている。減光手段１３は、抵抗素子１４と、照明用光源６からイルミネーション用スイッチ９への電流を通過させる逆流防止素子であるダイオード１５を直列に接続して構成している。
【００１７】
２．車両用室内灯の作用
次に、上記構成の車両用室内灯１の作用について説明する。
各スイッチ８，９の選択モードと各光源６，７の発光状態を表１に示す。
【００１８】
【表１】
2011110977.tif 000003
【００１９】
（１）照明用スイッチ８がオンのとき
表１に示すように照明用スイッチ８をオン、イルミネーション用スイッチ９をオンにしたときは、電源１１からの電流は照明用光源６を通過して照明用スイッチ８から接地される。このため、照明用光源６は通常のルームランプと同じ照度（以下高照度とする）で照射する。更に、電源１１からの電流はイルミネーション用光源７を通過し、イルミネーション用スイッチ９から接地される。このため、イルミネーション用光源が点灯する。
これによって、ケーシング４の全体が通常の明るさ且つ白色で光り、且つケーシング４の周囲が青く光るといった意匠となる。
照明用スイッチ８をオン、イルミネーション用スイッチ９をオフにしたときは、電源１１からの電流は照明用光源６を通過して照明用スイッチ８から接地される。このため、照明用光源６は高照度で照射する。一方、電源１１からの電流は、イルミネーション用スイッチ９がオフで、尚且つ減光手段１３のダイオード１５によりイルミネーション用光源７を通過しないので、イルミネーションは点灯しない。これにより、車両用室内灯１は通常のルームランプとして機能する。
【００２０】
（２）照明用スイッチ８がドア連動のとき
照明用スイッチ８がドア連動で、イルミネーション用スイッチ９をオンにし、更にドアを開いているときは、電源１１からの電流は照明用光源６を通過して照明用スイッチ８から接地される。このため、照明用光源６は高照度で照射する。更に、電源１１からの電流はイルミネーション用光源７を通過し、イルミネーション用スイッチ９から接地される。このため、イルミネーションが点灯する。
照明用スイッチ８がドア連動で、イルミネーション用スイッチ９をオフにし、更にドアを開いているときは、電源１１からの電流は照明用光源６を通過し、照明用スイッチ８からＥＣＵ１０に接続される。このため、照明用光源６はＥＣＵ１０に制御され、ＥＣＵ１０はドアの開閉状況に応じて点灯制御を行うため、ドアが開いていることから高照度で照射される。一方、電源１１からの電流はイルミネーション用光源７を通過しないので、イルミネーションは点灯しない。
照明用スイッチ８がドア連動で、イルミネーション用スイッチ９をオンにし、更にドアを閉じているときは、電源１１からの電流は照明用光源６を通過し、減光手段１３を通過してイルミネーション用スイッチ９から接地される。このため、照明用光源６は低照度で照射する。更に、電源１１からの電流はイルミネーション用光源７を通過し、イルミネーション用スイッチ９から接地される。このため、イルミネーションが点灯する。
これによって、ケーシング４の全体が赤みを持った白色で光り、且つケーシング４の周囲が青く光るといった意匠となる。また、車両用室内灯１全体の明るさは、走行の妨げにならない程度である。
照明用スイッチ８がドア連動で、イルミネーション用スイッチ９をオフにし、更にドアを閉じているときは、電源１１からの電流は照明用光源６を通過し、照明用スイッチ８からＥＣＵ１０に接続される。このため、照明用光源６はＥＣＵ１０に制御され、ドアが閉じていることから点灯しない。一方、電源１１からの電流はイルミネーション用光源７を通過しないので、イルミネーションは点灯しない。
【００２１】
（３）照明用スイッチ８がオフのとき
照明用スイッチ８をオフ、イルミネーション用スイッチ９をオンにしたときは、電源１１からの電流は照明用光源６を通過し、減光手段１３を通過してイルミネーション用スイッチ９から接地される。このため、照明用光源６は低照度で照射する。一方、電源１１からの電流はイルミネーション用光源７を通過し、イルミネーション用スイッチ９から接地される。このため、イルミネーションが点灯する。
照明用スイッチ８をオフ、イルミネーション用スイッチ９をオフにしたときは、電源１１からの電流はいずれの光源６，７をも通過せず、いずれも点灯しない。
【００２２】
３．実施例の効果
このような本実施例の車両用室内灯１によれば、イルミネーション用スイッチ９をオンにすることにより、照明用光源６と減光手段１３とイルミネーション用スイッチ９とが導通して照明用光源６が低照度照射するようになる。このため、従来のように高照度照射と低照度照射とイルミネーション照射との操作が別個の場合に比べて、操作性を高めることができる。また、乗員は任意のときにイルミネーション用スイッチ９を操作することにより照明用光源６を低照度照射することができるので、従来のようにドアの開放時のみ低照度照射が可能になる場合に比べて、例えば夜間の走行中等、車室内をぼんやりと照射したいときに有効に活用することができる。
また、イルミネーション用スイッチ９をオンすることで、イルミネーション用光源７を照射すると同時に、照明用光源６も低照度で照射するので、イルミネーション用光源７を単独で照射する場合よりも更に意匠性を高めることができる。
しかも、照明用光源６の低照度照射は減光手段１３により電気的に行っているので、照明用光源６の発熱を抑えることができ、長時間の照射を行っても光源の寿命を大きく縮めることはなく、また光源のケーシング４等の耐熱性を特に大きくする必要もない。
更に、照明用光源６とイルミネーション用ランプとが同じケーシング４の内部に収容されているので、それぞれの回路の一部を共有することができ、イルミネーション用光源７を別個の箇所に設ける場合に比べて部品点数や配線工数を削減することができる。
また、照明用光源６及び照明用スイッチ８の間とイルミネーション用光源７及びイルミネーション用スイッチ９の間とに減光手段１３を連結しているので、簡素な回路で各ルームランプの連動を実現することができる。しかも、減光手段１３が抵抗とダイオードであるので、安価で簡素な回路を実現することができる。
そして、照明用光源６がバルブであるので、ルームランプとしての高照度を確保することができる。また、イルミネーション用光源７が青色ＬＥＤであるので、消費電力を抑えられると共に、イルミネーションとしての意匠性を高めることができる。
【００２３】
尚、本実施例のイルミネーション用スイッチ９は、一方の端子が単に接地されているだけであるが、これをＥＣＵ１０に接続して、様々な点滅パターンで照明用光源６及びイルミネーション用光源７をイルミネーション動作させることができる。この例として、予め点滅パターンを定め、そのパターンで点滅させることができる。また、ドアのロック状態の変化やエンジンの稼働及び停止に応じて点滅パターンを変化させることができる
更に、照明用スイッチ８は、一方の端子が単に接地されているだけであるが、これをＥＣＵ１０に接続して、前述と同様の様々なパターンの点灯制御をすることができる。更に、走行状態に応じた照明用光源６の明るさ制御を行うことができる。例えば、走行時は照明用光源６が低照度になるように制御することができる。これにより、イルミネーション用スイッチ９をオンにしているときは、常に照明用光源６を低照度で光らせるような動作を行うことができる。
【００２４】
４．他の実施例
本他の実施例の車両用室内灯１’は、イルミネーション用スイッチ９を、イルミネーション用光源７だけのオンオフを切り換えるモードに加えて、照明用光源６を低照度照射させる低照度モードをも備えたスイッチ９’としたものである。
この場合、図４に示すように、電源１１と照明用光源６と照明用スイッチ８とが直列接続されている。また、電源１１と抵抗１６とイルミネーション用光源７と保護用のダイオード１７とイルミネーション用スイッチ９’とが直列接続されている。また、イルミネーション用光源７と逆流防止用のダイオード１８とイルミネーション用スイッチ９’の低照度モード端子１９とが直列接続されている。この低照度モード端子１９は接地されている。更に、照明用光源６及び照明用スイッチ８の間と、イルミネーション用スイッチ９’の低照度モード端子１９とに、減光手段１３が連結されている。減光手段１３は、抵抗素子１４と、照明用光源６からイルミネーション用スイッチ９’への電流を通過させる逆流防止素子であるダイオード１５とを直列して構成している。
ここで、各スイッチ８，９’の選択モードと各光源６，７の発光状態を表２に示す。イルミネーション用スイッチ９’の欄における低照度とはイルミネーション用光源７の点灯に加えて照明用光源６を低照度で点灯させる状態、ＯＮとはイルミネーション用光源７のみ点灯させる状態、ＯＦＦとはイルミネーション用光源７を点灯させない状態であることを示す。
【００２５】
【表２】
2011110977.tif 000004
【００２６】
（１）照明用スイッチ８がオンのとき
表２に示すように照明用スイッチ８をオン、イルミネーション用スイッチ９’を低照度モードにしたときは、電源１１からの電流は照明用光源６を通過し、照明用スイッチ８から接地される。このため、照明用光源６は高照度で照射する。一方、電源１１からの電流はイルミネーション用光源７を通過し、イルミネーション用スイッチ９’から接地される。このため、イルミネーションが点灯する。
照明用スイッチ８をオン、イルミネーション用スイッチ９’をオンにしたときは、電源１１からの電流は照明用光源６を通過し、照明用スイッチ８から接地される。このため、照明用光源６は高照度で照射する。一方、電源１１からの電流はイルミネーション用光源７を通過し、イルミネーション用スイッチ９’から接地される。このため、イルミネーションが点灯する。
照明用スイッチ８をオン、イルミネーション用スイッチ９’をオフにしたときは、電源１１からの電流は照明用光源６を通過し、照明用スイッチ８から接地される。このため、照明用光源６は高照度で照射する。一方、電源１１からの電流は、イルミネーション用スイッチ９’がオフで、尚且つ減光手段１３のダイオード１５によりイルミネーション用光源７を通過しないので、イルミネーションは点灯しない。
【００２７】
（２）照明用スイッチ８がドア連動であり、ドアが開いているとき
照明用スイッチ８をドア連動、イルミネーション用スイッチ９’を低照度モードにし、更にドアを開いているときは、電源１１からの電流は照明用光源６を通過し、照明用スイッチ８からＥＣＵ１０に接続される。このため、照明用光源６はＥＣＵ１０に制御され、ドアが開いていることから高照度で照射される。一方、電源１１からの電流はイルミネーション用光源７を通過し、イルミネーション用スイッチ９’から接地される。このため、イルミネーションが点灯する。
照明用スイッチ８をドア連動、イルミネーション用スイッチ９’をオンにし、更にドアを開いているときは、電源１１からの電流は照明用光源６を通過し、照明用スイッチ８からＥＣＵ１０に接続される。このため、照明用光源６はＥＣＵ１０に制御され、ドアが開いていることから高照度で照射される。一方、電源１１からの電流はイルミネーション用光源７を通過し、イルミネーション用スイッチ９’から接地される。このため、イルミネーションが点灯する。
照明用スイッチ８をドア連動、イルミネーション用スイッチ９’をオフにし、更にドアが開いているときは、電源１１からの電流は照明用光源６を通過し、照明用スイッチ８からＥＣＵ１０に接続される。このため、照明用光源６はＥＣＵ１０に制御され、ドアが開いていることから高照度で照射される。一方、電源１１からの電流はイルミネーション用光源７を通過しないので、イルミネーションは点灯しない。
【００２８】
（３）照明用スイッチ８がドア連動であり、ドアが閉まっているとき
照明用スイッチ８をドア連動、イルミネーション用スイッチ９’を低照度モードにし、更にドアを閉じているときは、電源１１からの電流は照明用光源６を通過し、照明用スイッチ８からＥＣＵ１０に接続される。このため、照明用光源６はＥＣＵ１０に制御され、ドアが閉じていることから低照度で照射される。一方、電源１１からの電流はイルミネーション用光源７を通過し、イルミネーション用スイッチ９’から接地される。このため、イルミネーションが点灯する。
照明用スイッチ８をドア連動、イルミネーション用スイッチ９’をオンにし、更にドアを閉じているときは、電源１１からの電流は照明用光源６を通過し、照明用スイッチ８からＥＣＵ１０に接続される。このため、照明用光源６はＥＣＵ１０に制御され、ドアが閉じていることから点灯しない。一方、電源１１からの電流はイルミネーション用光源７を通過し、イルミネーション用スイッチ９’から接地される。このため、イルミネーションが点灯する。
照明用スイッチ８をドア連動、イルミネーション用スイッチ９’をオフにし、更にドアが閉じているときは、電源１１からの電流は照明用光源６を通過し、照明用スイッチ８からＥＣＵ１０に接続される。このため、照明用光源６はＥＣＵ１０に制御され、ドアが閉じていることから点灯しない。一方、電源１１からの電流はイルミネーション用光源７を通過しないので、イルミネーションは点灯しない。
【００２９】
（４）照明用スイッチ８がオフのとき
照明用スイッチ８をオフ、イルミネーション用スイッチ９’を低照度モードにしたときは、電源１１からの電流は照明用光源６を通過し、イルミネーション用スイッチ９’から接地される。このため、照明用光源６は低照度で照射する。一方、電源１１からの電流はイルミネーション用光源７を通過し、イルミネーション用スイッチ９’から接地される。このため、イルミネーションが点灯する。
照明用スイッチ８をオフ、イルミネーション用スイッチ９’をオンにしたときは、電源１１からの電流は照明用光源６を通過しないので、照明用光源６は点灯しない。一方、電源１１からの電流はイルミネーション用光源７を通過し、イルミネーション用スイッチ９’から接地される。このため、イルミネーションが点灯する。
照明用スイッチ８をオフ、イルミネーション用スイッチ９’をオフにしたときは、いずれの光源６，７も点灯しない。
【００３０】
５．他の実施例の効果
このような他の実施例の車両用室内灯１’によれば、イルミネーション用スイッチ９をオンにしたときは、イルミネーション用光源７のみをイルミネーション用に用いることができ、低照度にしたときはイルミネーション用光源７及び照明用光源６をイルミネーション用に用いることができる。更に照明用光源６をイルミネーション用に用いるときは低照度とすることができる。
【００３１】
尚、本発明においては、前記実施例に示すものに限られず、目的、用途に応じて本発明の範囲内で種々変更した態様とすることができる。前記各実施例では、照明用光源６とＥＣＵ１０が接続された際にＥＵＣ１０により低照度と高照度と不点灯を選択するようにしたが、これに限定されず、例えば点滅等のイルミネーションのような照射をするようにしてもよい。
また、上記実施例では、イルミネーション用光源７として青色ＬＥＤを採用したが、これに限定されず、他の色であってもよい。
また、上記実施例では、減光手段１３として抵抗１４とダイオード１５を直列接続したものとしたが、これに限定されず、電流を低減させる半導体等の部品であればよい。
【産業上の利用可能性】
【００３２】
車両の室内を照射する室内灯の技術として利用される。特に、ルームランプの高照度照射機能及び低照度照射機能と、イルミネーション機能と、を有する室内灯の技術として好適に利用される。
【符号の説明】
【００３３】
１；車両用室内灯、４；ケーシング、６；照明用光源、７；イルミネーション用光源、８；照明用スイッチ、９、９’；イルミネーション用スイッチ、１０；ＥＣＵ、１１；電源。
【図１】
2011110977.tif 000005
【図２】
2011110977.tif 000006
【図３】
2011110977.tif 000007
【図４】
2011110977.tif 000008